Podtech/llm-jp-corpus-v4-ja_patent huggingface dataset:
(57)【要約】【課題】腰痛ベルト装着部の皮膚の蒸れを防止するとともに、腰痛ベルトへの汗の浸透、付着を防止して衛生的に使用できるようにする。【解決手段】伸縮可能な帯状のベルト主体（２）と、該ベルト主体（２）の両端部を係脱可能に連結する係止具（６，７）とを有する腰痛ベルトにおいて、前記ベルト主体（２）は、たて糸（３）とよこ糸（４）とを伸縮可能に製織した弾性布部（２ａ）と、たて糸（３）又はよこ糸（４）のみを露出させた櫛歯状の通気部（２ｂ）とを混在させて形成する。また、上記弾性布部（２ａ）及び通気部（２ｂ）を小幅にしてベルト主体（２）の長手方向に多数並列に形成する。【選択図】図１
0003106553.tif 000002
【実用新案登録請求の範囲】
【請求項１】
伸縮可能な帯状のベルト主体（２）と、該ベルト主体（２）の両端部を係脱可能に連結する係止具（６，７）とを有する腰痛ベルトにおいて、前記ベルト主体（２）は、たて糸（３）とよこ糸（４）とを伸縮可能に製織した弾性布部（２ａ）と、たて糸（３）又はよこ糸（４）のみを露出させた櫛歯状の通気部（２ｂ）とを混在させて形成したことを特徴とする腰痛ベルト。
【請求項２】
弾性布部（２ａ）及び通気部（２ｂ）を小幅にしてベルト主体（２）の長手方向に多数並列に形成したことを特徴とする請求項１記載の腰痛ベルト。
【請求項３】
各通気部（２ｂ）の幅は１〜２ｍｍ、各弾性布部（２ａ）の幅は５ｍｍ以上としたことを特徴とする請求項２記載の腰痛ベルト。
【考案の詳細な説明】
【技術分野】
【０００１】
本考案は、腰部を締め付けて腰痛の軽減及び治療に供する腰痛ベルトに関するものである。
【背景技術】
【０００２】
従来の腰痛ベルトは、図４に示すようになっていた。図４において、１０は腰痛ベルトであり、伸縮可能な布製のベルト主体１１を形成し、該ベルト主体１１の左端部の裏面側にオス面ファスナー１２を、右端部の表面側にメス面ファスナー１３を逢着し、ベルト主体１１は、その全面がたて糸、よこ糸を密接させて織った緻密な布状となっているものであった。このため、従来の腰痛ベルト１０は通気性が悪く、長時間使用しているとベルトで締め付けられた腰部の皮膚が汗等で蒸れたり、ベルト主体１１に汗が浸透して不衛生になったりするものであった。
【特許文献１】特開２００３−２９０２６２号公報
【考案の開示】
【考案が解決しようとする課題】
【０００３】
本考案は、ベルト主体に通気部を混在させることにより、汗等による皮膚の蒸れを防止するとともに、ベルト主体への汗の浸透、付着を防止することができる新規な腰痛ベルトを得ることを目的とする。
【課題を解決するための手段】
【０００４】
本考案は上記目的を達成するために、以下の如く構成したものである。即ち、請求項１に係る考案は、伸縮可能な帯状のベルト主体を、たて糸とよこ糸とを伸縮可能に製織した弾性布部と、たて糸又はよこ糸のみを露出させた櫛歯状の通気部とを混在させて形成するようにしたものである。
請求項２に係る考案は、前記弾性布部及び通気部を小幅にしてベルト主体の長手方向に多数並列に形成したものである。
請求項３に係る考案は、各通気部の幅を１〜２ｍｍ、各弾性布部の幅を５ｍｍ以上としたものである。
【考案の効果】
【０００５】
腰痛ベルトを腰部に装着すると、腰部の締め付けは主として弾性布部の弾発力によって行なわれ、また、腰部から発汗した汗は通気部を通して外部に発散されることになる。これにより、腰部の蒸れを防止しながら該腰部の痛みを軽減、あるいは治療することができる。また、腰部から発汗した汗が通気部から外部に発散されるので、腰痛ベルトが汗の浸透、付着等によって汚染されなくなる。
また、前記弾性布部及び通気部を小幅にしてベルト主体の長手方向に多数並列に形成したので、腰痛ベルトの弾性力を所定値に保持しながら、該腰痛ベルトの通気性を高くすることができる。
【考案を実施するための最良の形態】
【０００６】
以下本考案を図に基づいて説明する。図において、図１は本考案の実施例を示す一部を省略した平面図、図２は図１のＡ部拡大図、図３は本考案による腰痛ベルトの装着状態を示す斜視図である。
【０００７】
図１、図２において、１は腰痛ベルトであり、左右の長さＬが約８５ｃｍ、上下の幅Ｗが約１０ｃｍとなる帯状とし、左右両端部にオス、メスの面ファスナーからなる係止具６，７を逢着してなる。なお、上記長さＬ及び幅Ｗは着用者の体格、腰痛疾患の種類等によって適宜設定する。
【０００８】
上記腰痛ベルト１のベルト主体２は、小幅な弾性布部２ａと、該弾性布部２ａよりも更に小幅な通気部２ｂとを幅方向（図１において上下方向）に交互に有する。上記各弾性布部２ａは、非伸縮性のみの糸からなるたて糸３群と、伸縮性の糸と非伸縮性の糸とを有するよこ糸４群とを製織してよこ方向（図１、図２において左右方向）に伸縮可能とし、上記各通気部２ｂはたて糸３のみを露出させて櫛歯状とし、弾性布部２ａの伸縮に伴って各たて糸３のピッチが変化するようになっている。
【０００９】
上記弾性布部２ａは、図２に示すように、最外側に位置する弾性布部２ａの幅Ｗ１ａが約１０ｍｍ、中間部に位置する弾性布部２ａの幅Ｗ１ｂが約５ｍｍとなっている。また、各弾性布部２ａ間に位置する通気部２ｂの幅Ｗ２は１〜２ｍｍにして通気が円滑に行なえるようにする。なお、上記弾性布部２ａの幅Ｗ１ａ，Ｗ１ｂはベルト主体２に要求される伸縮力に応じて適宜設定する。
【００１０】
上記実施例によれば、図３に示すように、腰痛ベルト１を引き延ばして患者８の腰部に巻付け、その両端部を係止具６，７を介して連結すると、上記腰部が腰痛ベルト１により締め付けられて脊髄の疾患部が矯正され、腰痛の軽減及び治療に供することになる。この場合、腰部の皮膚から発汗した汗はベルト主体２の各通気部２ｂから外部に発散されることになる。
【００１１】
これにより、長時間使用しても、腰痛ベルト１で締め付けられた腰部の皮膚が汗等で蒸れなくなる。また、腰痛ベルト１に汗の浸透、付着がなくなるので、該腰痛ベルト１を衛生的に使用することができる。なお、前述した通気部２ｂはよこ糸４のみを露出させて形成するようにしてもよい。
【図面の簡単な説明】
【００１２】
【図１】本考案の実施例を示す一部を省略した平面図である。
【図２】図１のＡ部拡大図である。
【図３】本考案による腰痛ベルトの装着状態を示す斜視図である。
【図４】従来例を示す一部を省略した平面図である。
【符号の説明】
【００１３】
１    腰痛ベルト
２    ベルト主体
２ａ  弾性布部
２ｂ  通気部
３    たて糸
４    横糸
６，７  係止具
８    患者
【図１】
0003106553.tif 000003
【図２】
0003106553.tif 000004
【図３】
0003106553.tif 000005
【図４】
0003106553.tif 000006
(57)【要約】【課題】風などの外乱によるフレームの揺らぎを抑え、測定の安定性を向上させたフレーム原子吸光分光光度計を提供する。【解決手段】試料を霧化し燃料ガス及び助燃ガスと共にバーナヘッド１０上の火口スロット１６から噴出燃焼させてフレーム１５を形成するようにバーナ部が構成されているフレーム原子吸光分光光度計において、フレーム１５を挟むように対向してバーナヘッド１０上に屹立する２枚のシールド板１８を火口スロット１６に平行に設けた。このシールド板１８の風防作用によりフレーム１５の揺らぎを抑え、測定の安定性を向上させることができる。【選択図】          図１
0003106563.tif 000002
【実用新案登録請求の範囲】
【請求項１】
試料を霧化し燃料ガス及び助燃ガスと共にバーナヘッド上の火口スロットから噴出燃焼させてフレームを形成するようにバーナ部が構成されているフレーム原子吸光分光光度計において、前記フレームへの風防手段を前記火口スロットに設けたことを特徴とするフレーム原子吸光分光光度計。
【請求項２】
前記風防手段が、前記フレームを挟んで前記バーナヘッド上に屹立する２枚のシールド板である請求項１に記載のフレーム原子吸光分光光度計。
【考案の詳細な説明】
【技術分野】
【０００１】
本考案はフレーム原子吸光分光光度計に関する。
【背景技術】
【０００２】
原子吸光分光光度計は、様々な物質中の金属元素の定量に用いられる分析装置であって、そのうちフレーム原子吸光分光光度計は、試料を霧化し燃料ガス及び助燃ガスと共にバーナヘッド上の火口スロットから噴出燃焼させてフレームを形成し、このフレーム中で励起された試料中の金属原子による光の吸収を測定することで分析を行うものである。
【０００３】
図３は、従来のフレーム原子吸光分光光度計においてフレームを形成するためのバーナ部の概略構成を示したもので、バーナヘッド１０、及びその下部構造としてバーナチャンバ１１とこれに試料を霧化して導入する霧化器１４等で構成される（例えば、特許文献１参照）。
【０００４】
同図において、試料容器１２からチューブ１３を介して試料がバーナチャンバ１１に送り込まれ、霧化器１４で助燃ガスによって噴霧されて微粒子となり、この微粒子の試料はバーナチャンバ１１内で燃料ガスおよび助燃ガスとともに混合されてバーナヘッド１０に送られ、直線状の火口スロット１６から噴出されて燃焼し、平板状のフレーム１５を形成する。なお、火口スロット１６の寸法は、通常は幅０．５ｍｍ、長さ５０〜１００ｍｍ程度である。
【０００５】
矢印で示す測定光１７は、図示しない光源（ホローカソードランプ）から火口スロット１６の直上をこれに平行に照射され、フレーム１５中をその長手方向に透過した後、分光系を経て受光部（いずれも図示しない）でその光度が測定される。
【０００６】
【特許文献１】特開平１０−１６０６６７号公報
【考案の開示】
【考案が解決しようとする課題】
【０００７】
上記の従来構成において、フレームは平坦なバーナヘッド上空の開放された空間で燃焼するので、風などの外乱を受けて揺らぐことがある。フレームが揺らぐと分光光度計にはノイズとして観測されるので、測定の安定性が損なわれることになる。
本考案は、このような事情に鑑みてなされたものであり、風などの外乱によるフレームの揺らぎを抑え、測定の安定性を向上させたフレーム原子吸光分光光度計を提供することを目的とする。
【課題を解決するための手段】
【０００８】
本考案は、上記課題を解決するために、フレームへの風防手段を設けた。風防手段としては、例えばフレームを挟むように対向してバーナヘッド上に屹立する２枚のシールド板を火口スロットに平行に設けたものがある。このシールド板の風防作用によりフレームの揺らぎを抑えることができる。
【考案の効果】
【０００９】
本考案は上記のように、フレームに風防のための手段、例えばシールド板を設けたので、フレームが風などの外乱を受けることが少なくなり、測定の安定性が向上する。
【考案を実施するための最良の形態】
【００１０】
図１に本考案の一実施形態を示す。同図は、バーナヘッド１０より上の部分のみを示したもので、その下方は省略されているが、図３と同様の下部構造が接続されているものとする。
図１において、バーナヘッド１０および火口スロット１６は図３に示す従来例と同様であるが、バーナヘッド１０上に屹立する２枚のシールド板１８が、対向してフレーム１５を挟むように火口スロット１６と平行に設置されていることが従来と異なる。シールド板１８は断面がＬ字形の金属薄板から成り、バーナヘッド１０の上面にネジで固定される。シールド板１８の長さは火口スロット１６の長さと同等ないしそれ以上、高さは、少なくとも測定光１７の光束が通過する高さ以上とする。
このような構成により、フレーム１５は２枚のシールド板１８の間の空間で燃焼することになるので、横方向からの風の影響を受けることが少なく、安定した燃焼を継続することが可能となる。
【実施例１】
【００１１】
図２は本考案の他の実施形態を示す。同図において、図１と同一の構成要素には同一符号を付して示す。
本実施形態が図１に示す実施形態と異なる点は、２枚のシールド板１８をスペーサ１９を介してバーナヘッド１０の上面に取り付けることにより、シールド板１８とバーナヘッド１０との間に１〜３ｍｍの隙間１８ａを設けたことである。この隙間１８ａが存在することにより、フレーム１５の周囲の空気が暖められて上昇する際に、乱流を生じることなくスムーズな上昇気流となるので、フレーム１５の揺らぎを抑制する効果が向上する。
【００１２】
なお、上記説明中に挙げた数値は例示であって、本考案をこれに限定するものではない。
【産業上の利用可能性】
【００１３】
本考案はフレーム原子吸光分光光度計に利用可能である。
【図面の簡単な説明】
【００１４】
【図１】本考案の一実施形態を示す図である。
【図２】本考案の他の実施形態を示す図である。
【図３】従来の構成を示す図である。
【符号の説明】
【００１５】
１０  バーナヘッド
１１  バーナチャンバ
１２  試料容器
１３  チューブ
１４  霧化器
１５  フレーム
１６  火口スロット
１７  測定光
１８  シールド板
１８ａ  隙間
１９  スペーサ
【図１】
0003106563.tif 000003
【図２】
0003106563.tif 000004
【図３】
0003106563.tif 000005
(57)【要約】      （修正有）【課題】ハーネス型安全帯の肩掛けベルトに添設する連結ベルトが複数種あるため、受注を受けてから組み合わせるものであった。よって、大量に受注した場合は、組み合わせて完成するのに時間を要し、素早く対応することが困難であった。【解決手段】連結ベルト５の一端をハーネス型安全帯の背側のベルト交差部分に取付ける連結リング４を開放型とし、予め共通部分を組み合わせておき、受注した型番にあった連結ベルト５を、後から連結リング４に嵌合挿入して完成品にするものである。よって、大量受注に素早く対応することができる。また、共通部分の部品の適正在庫を図ることが出来る。【選択図】図１
0003106508.tif 000002
【実用新案登録請求の範囲】
【請求項１】
棒状材１の両端部に孔２を設け、該棒状材１を曲げて両端部を重合対峙し、その隙間より連結ベルト等の連結材を挿入した後両端部の孔２にリベット３を貫入し、鋲着連結することを特徴とするハーネス型安全帯の連結リング。
【考案の詳細な説明】
【技術分野】
【０００１】
本願は、高所での作業に際し、墜落防止のために使用するハーネス型安全帯の背側のベルト交差部分に取付ける連結リングに関するものである。
【背景技術】
【０００２】
ハーネス型安全帯を組み合わせる場合は、全ての部品が完成した後、必要箇所には縫工を加えるなどしながら組み合わせるものであった。また、受注を受けてから組み合わせるものであったため、受注から発送までの時間が掛かり、大量受注時は、納入日に間に合わない事態となることもあった。
【０００３】
従来の例として、意匠登録第１０６３６８９号公報に開示したハーネス型安全帯がある。このハーネス型安全帯の背側のベルト交差部分の連結リングは閉鎖型リングを使用し、全ての部品を準備した後、ベルト類を挿通して所定箇所を縫製しながら組み合わせるものであった。
【特許文献１】意匠登録第１０６３６８９号公報
【考案の開示】
【考案が解決しようとする課題】
【０００４】
本願は、上記したように、受注が来てから組み合わせるものであったので、大量受注時には、対応できないものであった。
なぜなら、ハーネス型安全帯に取付ける背側のベルト交差部分の連結リングから胸前に至る連結ベルトが複数種あり、その連結ベルトは、図５，６に示すように、ただベルトだけの物と、緩衝体付きの物とがあり、どちらが多く注文が来るか分からないため、それぞれある程度の生産を行い、また、在庫も持っているが、他のベルト部分は共通のため、その共通部分はどちらにも対応できるために、注文が来てから組み合わせるものであった。
その理由は、一旦組み合わせてしまうと、連結ベルトを異なるものに交換するためには、縫製糸を切って解体しなければならず、非常に手間のかかる作業であった。また、ベルトの再使用はできないが、ベルトを切ってしまいバックル等の金具類を再使用することができるが、それならば、初めから組み合わせる方が容易なためであった。
また、大量受注に対応するための方法として、大量の在庫を持つことが上げられるが、税務上の問題もかさなりコストアップになりあまり良い方法ではない。
【課題を解決するための手段】
【０００５】
よって、本願では、ハーネス型安全帯の背側のベルト交差部分に設ける連結リングを開放型のリングとし、予め共通部分を組み合わせておき、連結ベルトの注文に応じて、後から開放型の連結リングに連結ベルトを挿通連結し、鋲着結合して完成品にするものである。
【考案の効果】
【０００６】
以上のように本願の開放型の連結リング４を用いることにより、ハーネス型安全帯の共通部分は予め組み合わせておくことができると共に、異なる部分の連結ベルトも予め製作が可能となり、注文に応じて後から組み合わせて完成品とすることができる。よって、大量注文にも素早く対応できるものである。
また、組み間違えあるいは組み換える場合でも、連結リング４の解体のみでその他の部分は再使用が可能であり、解体・組み合わせも容易にできる。
従来では、連結ベルト５の違いにより、ハーネス型安全帯の共通部品の在庫数を倍程度保有していたが、ハーネス型安全帯本体と連結ベルトを別々に在庫ができるため、ハーネス型安全帯本体の在庫数を減らし適性在庫が可能となる。
また、開放型の連結リング４を新たに製作しても、組立の能率向上となり、利点の方が大きく、コストアップとならず効果大になるものである。
【実施例】
【０００７】
本願の実施例を詳記すると、
図１に示すように、棒状材１の両端部を押圧して平坦部11を設け、該平坦部11に孔２を設け、該棒状材１を輪状に曲げて両端部の平坦部を重合対峙し、その隙間より連結ベルト５等の連結材を挿入した後両端部の孔２にリベット３を貫入し、鋲着連結する構造である。
本願の開放型の連結リング４は、図４に示すように、ハーネス型安全帯の肩掛けベルト６の背側交差部分にリング止め７と共に嵌合挿通しておき、受注した型番にあった連結ベルト５を、後から連結リング４に挿入した後、リベット３を貫入して鋲着結合するものである。
【０００８】
本願の開放型の連結リング４は、片方に開放部があり、予め肩掛けベルト６の背側交差部分のベルトに挿入しておき、後から連結ベルト５を挿入するものであるが、逆に初めに連結ベルト５側に挿入しておき、後から肩掛けベルト６の背側交差部のベルトに挿入することも可能である。
【０００９】
図５はベルトのみの連結ベルト５、図６は緩衝体付き連結ベルト５であり、背側から胸前に至る肩上に配置し、他端には普通の閉鎖型の係止リング８を設け、高所作業中は、命綱のフックを胸前に位置する係止リング８に係止して、万が一の墜転落に備えるものである。
もし、万が一にも墜落したならば、命綱が引かれ、続いて肩掛けベルト６に面ファスナーで連結された連結ベルト５が離れ、背側交差部に位置する本願連結リング４によって吊り下げられる状態となるものである。緩衝体付き連結ベルト５であれば、緩衝部によって落下衝撃荷重を吸収緩和するものである。
【図面の簡単な説明】
【００１０】
【図１】本願ハーネス型安全帯のリングの正面図。
【図２】本願ハーネス型安全帯のリングの右側面図。
【図３】本願ハーネス型安全帯の展開正面図。
【図４】本願ハーネス型安全帯のリング取付部拡大図
【図５】本願ハーネス型安全帯の連結ベルトの側面図。
【図６】本願ハーネス型安全帯の緩衝体付き連結ベルトの側面図。
【符号の説明】
【００１１】
１  棒鋼
２  孔
３  リベット
４  連結リング
５  連結ベルト
６  肩掛けベルト
７  リング止め
８  係止リング
11  平坦部
【図１】
0003106508.tif 000003
【図２】
0003106508.tif 000004
【図３】
0003106508.tif 000005
【図４】
0003106508.tif 000006
【図５】
0003106508.tif 000007
【図６】
0003106508.tif 000008
(57)【要約】      （修正有）【課題】短時間に衛生的に楽に分別し、ペットの排泄物除去処理作業の軽減、省力化を図る。【解決手段】強度の湿潤性質紙で作った水玉状に丸い穴のある円型二重シートの別の取っ手２を持ち上げる一つの動作で、一枚の円型紙が分別袋となり、ペットの排泄物の固まりを一網打尽に集め、きれいな砂の砂箱へ瞬時に蘇る、継続使用可能な排泄分別シートである。【選択図】図１
0003106523.tif 000002
【実用新案登録請求の範囲】
【請求項１】
別取っ手の紐付き二重縁まわりと水玉上丸カットの円型シートが分別袋となる、ペット用排泄分別シート。
【考案の詳細な説明】
【考案の詳細な説明】
【技術分野】
【０００１】  強度の湿潤性質紙で作った円型二重シートの取っ手を持ち上げる一つの動作で瞬時に分別する、ペットの排泄物分別シートに関したものである。
【背景技術】
【０００２】  ペットの排泄物除去処理作業は毎日強い悪臭の中、数回小さなシャベルで砂箱内の排泄物の固まりを捜し、除去している。シャベルによる処理方法は、固まりのくずれ、粉塵、汚れでとても煩わしく、面倒で不衛生な後処理作業である。
【考案が解決しようとする課題】
【０００３】  ペットの排泄物除去処理作業を軽減し、衛生的に効率よく、短時間で楽な処理作業へ解決しようとするものである。
【課題を解決するための手段】
【０００４】その構成を説明すると、
（イ）強度の湿潤性質紙を円型にカットし、紙面に砂粒落下用に水玉状に砂粒大の丸いカットをする。
（ロ）円型シートの左右に別紙の取っ手を用意し、縁まわりの紐との連結位置に重力補強用のテープを貼る。
（ハ）円型シートの縁まわりにぐるりと紐を通し、別紙の左右の取っ手に連結する。ペットの爪がひっかかるのを防止する為に、縁まわりを二重紙にし、合わせて一枚の円型シートを作る。
以上、（イ）（ロ）（ハ）により構成されたペット用排泄分別シートである。
【考案を実施するための最良の形態】
【０００５】  砂箱底に数枚セットにして設置。左右の取っ手は砂箱両側にそれぞれまとめて立て、砂から出しておく。ペットが数回の排泄時、砂を掘り下げても、砂箱内の周りから砂が補完されシートは破損しない。左右の取っ手を同時に持ち上げる一度の動作で分別袋となった円型二重シートで数日間、継続的にペットの排泄物の除去処理ができた。又、別取っ手のため、砂の量が多い場合も対処できる。円型二重シートは最小限の砂箱サイズでよく、円型紙が袋に変化し、横から砂が逃げず、瞬時にカット穴からきれいな砂粒が落下し、負荷がかからず、取っ手への負担も少なく、分別除去を完了した。
【考案の効果】
【０００６】  強度の湿潤性質紙の特性を生かし、一長一短のある防水紙やビニールでは無理な、ペットの排泄物の固まりから漏れ出る少量の水分も適度に吸収、砂の重さにも対処でき、紙も破れず素材とシートの形状により楽に排泄物を分別する。又、シャベル不要で、ペットの排泄物の固まりの崩れや、汚れもなく、一回の動作で瞬時に一網打尽に分別袋に排泄物の固まりを集め、即、きれいな砂箱が蘇る、処理は一日１度のみ、数日間継続使用可能で清潔な分別処理方法である。
【図面の簡単な説明】
【図１】本考案のペット排泄分別シートの平面図である。
【図２】本考案のペットの排泄除去処理後、分別袋となった正面図である。
【符号の説明】
１  円型の紙
２  取っ手
３  紐
４  二重にする為の紙
５  補強用テープ
６  ミシン目
７  小さな丸型カット
【図１】
0003106523.tif 000003
【図２】
0003106523.tif 000004
(57)【要約】【課題】  ペットの排泄後の砂粒拡散の被害をマットで完全に食い止め、清潔な砂箱環境にする。【解決手段】  方眼編み麻紐マットの材質と、編目と構造で、ペットがマット上を歩くだけでマットの凹凸の四角い空間に砂粒を取り込み、留めて部屋への流出を防ぐ。【選択図】  図１
0003106522.tif 000002
【実用新案登録請求の範囲】
【請求項１】
固め材質の紐で作った方眼編みのマットと、留め具付き敷紙二枚を一組とした凹凸構造のペット用砂飛び散り防止マット。
【考案の詳細な説明】
【考案の詳細な説明】
【技術分野】
【０００１】  敷紙付き方眼編み麻紐マットの材質と編目と構造による砂粒拡散防止のペットの砂飛び散り防止マットに関するものである。
【背景技術】
【０００２】  既製のアクリルマットや紙シートは密度のある材質の為、砂粒は、はじかれ、滑り、拡散し、部屋へ流出。飛び散った砂粒は人間に踏まれてますます白く汚している。
【考案が解決しようとする課題】
【０００３】  ペット排泄後、必ず生じる砂の飛び散り、部屋への流出を完全にマット内に留め、砂箱周辺の清潔さを追及。
【課題を解決するための手段】
【０００４】  その構成を説明すると、天然繊維の麻紐で作られた方眼編みマットと、その下にマットと同サイズのつや出し厚紙を敷き、とめ具で一組としたマットである。ペットがマット上を歩くだけで、ペットの手足に深く入り込んだ砂粒は麻紐の編目の適度な硬さと、高い節でこすり取られ、マットと紙の二重層で生じた凹凸構造の四角い空間に入り込み、完全にマット内に留め、部屋への流出を防ぐ。
【考案を実施するための最良の形態】
【０００５】  ペットが排泄後、マット上を歩くだけでマットの編目のこすれで凹凸構造の四角い空間に砂が一粒、一粒入り込み、マット内に留め、食い止める事が出来、完全に部屋への流出を防止できた。数度のペットの砂箱使用後も、止め具付きマットの為、めくれやずれる心配もなく、安定して設置でき、ペットも落ち着いて砂箱を使用。後処理は週一度、つやのある敷き紙に残留した砂粒をティッシュペーパー、又は掃除機で簡単に掃除し、清潔なマットとして利用。マットは洗濯可。
【考案の効果】
【０００６】  砂箱周辺はペットの排泄で常時悪臭と砂の飛び散りで汚れて不衛生であったが、マットの凹凸の四角い空間に予想以上に砂がとどまり、部屋への流出を完全に防ぎ、清潔な砂箱環境となった。
【図面の簡単な説明】
【図１】本考案のペット用砂・飛び散り防止マットの平面図である。
【図２】方眼編み麻紐マットと、敷き紙の側面図である。
【図３】方眼編みマットの拡大図と編み目記号である。
【符号の説明】
１  方眼編み麻紐マット
２  敷紙
３  とめ具
【図１】
0003106522.tif 000003
【図２】
0003106522.tif 000004
【図３】
0003106522.tif 000005
(57)【要約】【課題】  ペットの嘔吐症状に迅速に対応し、嘔吐物処理作業を衛生的に軽減する、簡単、便利な折りたためるペットの嘔吐対応処理容器で、清潔な部屋を維持する。【解決手段】  防水紙のペットの嘔吐対応処理容器は凹凸のダイヤ柄、弓形カーブ形状の折り紙容器で、常時起きるペットの嘔吐に使用、後処理する。折りたためる容器の為、各部屋の所定位置に設置、ペットの嘔吐必要時に迅速に対応できる。【選択図】  図１
0003106524.tif 000002
【実用新案登録請求の範囲】
【請求項１】
防水紙で折り紙した凹凸のダイヤ柄の底と、弓形カーブ形状の壁のある折りたたみ紙容器のペット用嘔吐対応処理容器。
【考案の詳細な説明】
【考案の詳細な説明】
【技術分野】
【０００１】  本考案は、ペットの嘔吐物を弓形カーブ形状の壁と、凹凸のダイヤ柄の底で受け、そのまま袋形状でゴミ出し可能な防水紙の折り紙容器に関するものである。
【背景技術】
【０００２】  毛玉を排泄させ、嘔吐を少なくするフードも販売されてはいるが、ペットの嘔吐は習性で、時々症状が出る。飼い主にとって常々面倒で不衛生な後処理である。
【考案が解決しようとする課題】
【０００３】  ペットの嘔吐は習性、病気で時々あるが、ところ構わずするため、この折りたたみ紙容器で迅速に活用し、そのままゴミ出しの後処理を楽に衛生的に軽減。清潔な部屋を維持する。
【課題を解決するための手段】
【０００４】  その構成を説明すると、
（イ）Ａ４大サイズの防水紙紙面に数個の長方形を記し、角が対角に交わるように左右からそれぞれ斜めに折り筋をつけ、凹凸のあるダイヤ柄、弓形カーブ形状の容器を折る。上、下、端部分は数回折り込み、厚紙とし、後に袋の持ち手となり、又、安定感のある容器とする。
（ロ）弓形カーブ形状の紙容器の左右横の取っ手を両手で同時に開き、中央のダイヤ柄山折り部分をひと押し、大きな凹凸の底を作る。前方の弓形カーブ面はペットの勢いのある嘔吐物を受け、遮る壁面となる。
（ハ）後処理方法は容器の上、下の厚紙の持ち手をそれぞれ中央に寄せると、嘔吐物の入った袋となり、そのままゴミ袋へ出す。
以上、（イ）（ロ）（ハ）によって構成されたペットの折りたたみ嘔吐対応処理容器である。
【考案を実施するための最良の形態】
【０００５】  ペットの嘔吐始まり時、容器をペットの顔の前に設置。凹凸のダイヤ柄の底にスムーズに受けることが出来、周りを汚すことなく、簡単に取りきる事が出来た。折りたたみ容器なので、各部屋の所定位置に設置しておく事で、場所も取らず、又、ところ構わずしていたペットの嘔吐必要時も迅速に対応。そのまま袋ごと捨てられ、後処理は楽であった。
【考案の効果】
【０００６】  各部屋の所定位置に用意してある嘔吐処理容器は、ペットの嘔吐症状に迅速に対応し、便利に衛生的に後処理完了する。今までのじゅうたんのシミ、汚れの後処理の手間を解消し、清潔な部屋を維持する。ペットにもゆとりを持ち接する事ができる。
【図面の簡単な説明】
【図１】  本考案のペットの嘔吐物処理容器の正面図である。
【図２】  本考案のペットの嘔吐物処理容器の斜視図である。
【図３】  ペットの嘔吐処理容器の折り方と記号である。
【符号の説明】
１  底
２  左右の取っ手
３  前壁面
４  袋にする持ち手
５  １の線の折り筋
６  ２の線の折り筋
【図１】
0003106524.tif 000003
【図２】
0003106524.tif 000004
【図３】
0003106524.tif 000005
(57)【要約】【課題】  従来の陶磁器製のコースターはコップの水滴を吸収しても蒸発が遅く、水滴をやがて吸収しきれなくなってしまっていた。【解決手段】  本考案は、表面の一部又は全部が陶磁器製であるコースターの底面に一つないし複数個の脚を設けているため、テーブル表面とコースターとの間に空間をつくることで底面を含むコースター全面からより早く水分を蒸発させることができ、コップ外表面から垂れ落ちる水滴をより多く吸収することができるコースターを提供する。【選択図】  図２
0003106594.tif 000002
【実用新案登録請求の範囲】
【請求項１】
表面の一部又は全部が陶磁器製であるコースターの底面に一つないし複数個の脚を設けることを特徴としたコースター
【考案の詳細な説明】
【技術分野】
【０００１】  本発明は、飲み物が入ったコップや瓶などの下に敷いて使用するコースターに関するものである。
【背景技術】
【０００２】  従来のコースターは、紙、皮革、木、合成樹脂、金属、陶磁器、等で出来ていた。
【考案の開示】
【考案が解決しようとする課題】
【０００３】  従来の陶磁器製のコースターはコップの水滴を吸収しても蒸発が遅く、水滴をやがて吸収しきれなくなってしまっていた。
【課題を解決するための手段】
【０００４】  本考案は、表面の一部が陶磁器製であるコースターの底面に一つないし複数個の脚を設けているため、テーブル表面とコースターとの間に空間をつくることで底面を含むコースター全面からより早く水分を蒸発させることができ、コップ外表面から垂れ落ちる水滴をより多く吸収することができるコースターを提供する。
【考案の効果】
【０００５】  上述の様に、本考案の脚付き陶磁器製コースターは底面に一つないし複数個の脚を設けているため、テーブル表面とコースターの間に空間をつくることができ、コースターの底面を含む全表面から水分を蒸発させることができ、その結果コップ外表面から垂れ落ちる水滴をより多く吸収することができる。【０００６】  この本体２の底面には一つないし複数個の脚を設けているため、テーブル表面とコースターの間に空間をつくることができ、コースターが十分に水分を吸収したときにコースターの外表面から垂れ落ちる水滴でテーブル表面とコースターが付着するのを防ぐ。
【考案を実施するための最良の形態】
【０００７】  以下、添付図面に従って一実施例を説明する。１は陶磁器製で作られたコースター本体、２はコースター本体とテーブル表面との間に空間を設けるためにコースター本体に付けたゴム製の脚である。
【図面の簡単な説明】
【０００８】
【図１】  本考案の脚付き陶磁器製コースターの上面図である。
【図２】  本考案の脚付き陶磁器製コースターの正面図である。
【図３】  本考案の脚付き陶磁器製コースターの底面図である。
【符号の説明】
【０００９】  １    コースター本体
２    脚
【図１】
0003106594.tif 000003
【図２】
0003106594.tif 000004
【図３】
0003106594.tif 000005
(57)【要約】【課題】本考案は草花などの植物に音楽や声などの音響を発生させることができる音響出力装置を提供する。【解決手段】草花や木などを入れることができる挿入筒を有し、挿入筒を支えるとともに音信号を挿入筒に振動を伝える振動部を有するように構成される。【選択図】        図１
0003106593.tif 000002
【実用新案登録請求の範囲】
【請求項１】
草花や木などが挿入可能な挿入孔を有する音響出力装置であって、ボイスコイルからの振動を挿入孔に伝えるとともに挿入孔を支える振動部を備え、入力された音信号を挿入筒に入れられた花や木などに伝え草花や木などから音響を発生するることを特徴とする音響出力装置。
【考案の詳細な説明】
【技術分野】
【０００１】  本考案は、草花や木などの植物に音楽や声などの音響を発生させることができる音響出力装置に関する。
【背景技術】
【０００２】  従来の音響出力装置（スピーカ）は出力装置自体にコーンと呼ばれる振動板が供えられており、入力された電気信号（音信号）を空気振動に変えて、この振動板を振動させることで音を外部に出力する構成となっている。したがって音はこのスピーカ自体から出力される。
【考案の開示】
【考案が解決しようとする課題】
【０００３】  しかしながら、花や木などの展示などで同時に音楽などを流し展示効果をあげたいときなどは、花や木と並んで別に音響出力装置（スピーカ）を設置し音楽や音などの音響を流すことで集客効果をあげるのはごく当たり前である。しかしこの場合スピーカ設置にあらたな場所を必要とし、さらに展示場所の制限があるときなどは設置ができないなど、仮にもし設置ができたとしてもスピーカが露出されてしまい美観が損なわれるという欠点があった。【０００４】  さらに出力される音や音楽などを展示物の内容と関連を持たせインパクトを強くしようとするが展示物の方向と音や音楽の出力の場所や方向が異なってしまい思うように効果が上がらなかった。
【課題を解決するための手段】
【０００５】  本考案は  草花や木などが挿入可能な挿入孔を有する音響出力装置であって、ボイスコイルからの振動を挿入孔に伝えるとともに挿入孔を支える振動部を備え、入力された音信号を挿入筒に入れられた花や木などに伝え、草花や木などから音響を発生するることを特徴とするとすることで上記課題を解決するものである。
【実施例】
【０００６】  図１は、第一実施例の形態における音響出力装置の縦断面図、図２は音響出力装置の構造の一例を説明する概略図である。【０００７】  以下図１に従って説明する。円筒状下ヨーク１は鋼鉄や鉄で構成されておりリング状マグネット２を経由し円筒形のヨーク３と接触されている。したがって下ヨーク１、ヨーク３は磁化され下ヨーク１、マグネット２、ヨーク３とで一連の磁性体として構成される。つまりヨーク３のヨークＡ１２部と下ヨーク１のヨークＢ１３部は反対の磁極性をもつことになる。さらにこのヨークＡ部とヨークＢ部は接しておらず円筒状のボイスコイル５が上下にうごくことが可能のように一定距離の隙間を保持し構成される。【０００８】  ダンパー４は振動筒６と前述したヨークＡ１２部とヨークＢ１３部の間隔を一定に保持しさらにボイスコイル５が容易に上下振動を行える役割を持つ。そのためこのダンパー４は柔軟性のある材質で構成されており上下方向には動きやすく横方向には動きにくい構造となっている。【０００９】  さらに振動部７がボイスコイル５上部と鋼鉄でできた外筒１０との間に備えられて挿入筒８の重さ、さらに挿入される花や木１１の重みを支えている。もちろんボイスコイル５からの振動を伝達す役目を備える。振動部７の材質は具体的にアルミや鉄の格子状のもので構成されるのがよいが、非金属でもよいし形状も特に限定するものではない。【００１０】  ボイスコイル５は振動筒６に筒状にエナメル線が巻かれ振動筒６に固定され、巻き始めと巻き終わりの両端は音信号の入力端子９が備えられている。この入力端子９にはＣＤやカセットデッキなどを再生し音声信号を入力するか、一度増幅器（アンプ）などを通し、増幅された音楽信号を入力する。【００１１】  入力端子９に音信号が入力されると音信号に従った磁界がボイスコイル５に発生する。音声信号は交流信号であるので電流の方向が交互入れ替わる。つまりボイスコイル５には交流信号にしたがってＮ極Ｓ極が入れ替わる。ボイスコイル５はヨークＢ部、ヨークＡ部の簡の位置でヨークＡ、Ｂ部の磁極にたいして反発、吸引を繰り返す。このときダンパー４はボイスコイル５に接続されているので図１の横方向には振動せずに隙間を上下に震動をすることになる。【００１２】  この上下振動は入力された音の信号で、振動は振動筒６を伝わり振動筒６と接続されている草花の挿入筒８に振動が伝わり挿入筒８全体が音信号に伴って振動をする。挿入筒８は鉄やプラスチックなどの硬い物質で構成されており振動を伝えやすい物質で作られているので挿入筒にさされた花や木１１は挿入筒８底部、挿入筒８側面などからの振動を受けて振動を行う。つまりこの振動は、茎や葉、花びらなど花自体が振動をするので、音として再現される。【００１３】  たとえば、ＣＤプレーヤーにある外部スピーカ端子を本考案の入力端子に接続し音楽を入力する場合、ＣＤプレーヤーからの音楽は花や木などから直接出力されるので展示における集客効果など一段とアップされること間違いなしである。
挿入筒などを花瓶などの形状にすれば水などをいれた上さらに花や木などを入れることができ花や木などを長持ちさせることもでる。また生花にこだわることなく造花やドライフラワーでも同様に音信号を再生することもできる。挿入筒をプランター程度に大きくし土をいれて花を植えれば外からは見えないようにし、展示効果をさらにあげることができる。
【考案の効果】
【００１４】    本考案に係わる音響出力装置は、草花や樹木などを振動させ容易に音や音楽を出力させることができるので鉢、プランターなどに内蔵させることができ美観を損なうことが無い。
また展示したい花そのものから音や音楽が出力されるので展示によるインパクトが非常に強くなり宣伝効果は抜群である。
本考案に利用できる草花や樹木などは装置に差し込めさえすれば大きさや形などに限定されないので自由にアレンジが可能であることはいうまでも無い。
【図面の簡単な説明】
【００１５】
【図１】本考案に係わる音響出力装置の縦断面図である。
【図２】本考案に係わる音響出力装置の構造図である。
【符号の説明】
【００１６】    １    …  下ヨーク
２    …  マグネット
３    …  ヨーク
４    …  ダンパー
５    …  ボイスコイル
６    …  振動筒
７    …  振動部
８    …  挿入筒
９    …  入力端子
１０    …  外筒
１１    …  草花
１２    …  ヨークＡ
１３    …  ヨークＢ
【図１】
0003106593.tif 000003
【図２】
0003106593.tif 000004
(57)【要約】【課題】  リュックサックであって、しかも、救命具の機能を有したエアバッグ装置付きリュックサックを提供する。【解決手段】  リュックサックに於いて、エアバッグにガスを供給するガスボンベ１０を備え、前述のガスボンベ１０に管９を介して接続したエアバッグ３・エアバッグ４・エアバッグ５・エアバッグ６・エアバッグ７を背あて部位及び上下左右部位に設置し、前記ガスボンベ１０と前記管９を接合する接続装置１１のガス開閉栓に結合したワイヤー１２を引くことで栓が開き、ガスが瞬間的に供給され、前記エアバッグ３・エアバッグ４・エアバッグ５・エアバッグ６・エアバッグ７が瞬時に膨張することを特徴とするエアバッグ装置付きリュックサックとした。【選択図】図１
0003106874.tif 000002
【実用新案登録請求の範囲】
【請求項１】
エアバッグにガスを供給するガスボンベ１０を備え、前述のガスボンベ１０に管９を介して接続したエアバッグ３・エアバッグ４・エアバッグ５・エアバッグ６・エアバッグ７を背あて部位及び上下左右部位に設置したリュックサックであって、前記ガスボンベ１０と前記管９を接合する接続装置１１のガス開閉栓に結合したワイヤー１２を引くことで栓が開き、ガスが瞬間的に供給され、前記エアバッグ３・エアバッグ４・エアバッグ５・エアバッグ６・エアバッグ７が瞬時に膨張することを特徴とするエアバッグ装置付きリュックサック。
【考案の詳細な説明】
【技術分野】
【０００１】  本考案は、救命具の機能を有したリュックサックに関するものである。
【背景技術】
【０００２】  従来、救命具の機能を有したリュックサックとしては、反射材を配したものや、防水素材を用いたものが提案されている。
【考案の開示】
【考案が解決しようとする課題】
【０００３】  しかしながら、上述したような従来の反射材を配したものや、防水素材を用いたリュックサックは安全性に寄与するものの、より救命具としての機能を持たせる為にリュックサック本体にエアバッグ装置を設置するという工夫をするものは無かった。
【課題を解決するための手段】
【０００４】  本考案に於いては、リュックサックに於いて、エアバッグにガスを供給するガスボンベ１０を備え、前述のガスボンベ１０に管９を介して接続したエアバッグ３・エアバッグ４・エアバッグ５・エアバッグ６・エアバッグ７を背あて部位及び上下左右部位に設置し、前記ガスボンベ１０と前記管９を接合する接続装置１１のガス開閉栓に結合したワイヤー１２を引くことで栓が開き、ガスが瞬間的に供給され、前記エアバック３・エアバッグ４・エアバッグ５・エアバッグ６・エアバッグ７が瞬時に膨張することを特徴とするエアバック装置付きリュックサックとした。
【考案の効果】
【０００５】  本考案によれば、リュックサックの実用性に加えて、リュックサック本体に備わるエアバッグ装置が事故時に救命具としての機能を発揮することが期待され、装着者の安全をさらに向上させることができる。
【考案を実施するための最良の形態】
【０００６】  以下、本発明の実施の形態について、図面を参照して説明する。
図１に示すように、リュックサック本体１は、ガスボンベ収納ポケット８内に、エアバッグにガスを供給するガスボンベ１０を備え、前述のガスボンベ１０に管９を介して接続したエアバッグ３・エアバッグ４・エアバッグ５・エアバッグ６・エアバッグ７を背あて部位及び上下左右部位に設置し、前記ガスボンベ１０と前記管９を接合する接続装置１１のガス開閉栓に結合したワイヤー１２を引くことで栓が開き、ガスが瞬間的に供給され、前記エアバッグ３・エアバッグ４・エアバッグ５・エアバッグ６・エアバッグ７が瞬時に膨張することを特徴とするエアバッグ装置付きリュックサックとした。
【図面の簡単な説明】
【０００７】
【図１】  本考案にかかるエアバッグ装置付きリュックサックの構成を示した正面図である。
【図２】  本考案にかかるエアバッグ装置付きリュックサックの構成を示した右側面図である。
【図３】  本考案にかかるエアバッグ膨張時のリュックサックを表した背面図である。
【符号の説明】
【０００８】  １  リュックサック本体
２  肩掛けベルト
３  エアバッグ
４  エアバッグ
５  エアバッグ
６  エアバック
７  エアバッグ
８  ガスボンベ収納ポケット
９  管
１０  ガスボンベ
１１  接続装置
１２  ワイヤー
【図１】
0003106874.tif 000003
【図２】
0003106874.tif 000004
【図３】
0003106874.tif 000005
(57)【要約】【課題】  四輪自動車がもつ宿命としての内輪差を除去することによって狭小道路でのより安全操行を可能にする。【解決手段】  本考案は四輪車の後輪をはずして行動の自由性を持つキャスターと取り換え装置することによって３点接地の三角形の車体とすることで平行移動は勿論回転移動をも自由にしたことで内輪差の除去が可能になった３点は平面を決定する要素であるから従来の四点接地の自動車より走行時常に一つの平面を維持し乍ら進行しているのであるから振動もすくなくより安定している筈である車輌設計上の重量のバランスが適切であればよい。【選択図】    図３
0003106877.tif 000002
【実用新案登録請求の範囲】
【請求項１】
四輪自動車が持つ宿命ともいえる内輪差を除去するために後車輪を、とりはずして、全方向へ移動可能の機能を持つキャスター式車輪をとりつけることで３点接地にし、平行移動は勿論、回転移動も自由に操作される三輪装着の前輪駆動式の乗用車。
【考案の詳細な説明】
【技術分野】
【０００１】
本考案は、キャスター式車輪の自由性を後輪に活用した軽三輪自動車である。
【背景技術】
【０００２】
三角形の図形なら回転移動は可能の原則に基づき加えてキャスターの全方向への移動自由の特性を組合せた。  
【考案の開示】
【考案が解決しようとする課題】
【０００３】
従来軽四輪車といえども曲折走行時や格納時に内輪差が発生することでその運転操作にはかなりの教習に時間をかけているそこで前輪駆動車について後車輪を一つのキャスター式にすることで内輪差は当然消去されることによって運転操作を極めて安全容易にするものである。
【課題を解決するための手段】
【０００４】
本考案は従来の軽自動車の後車輪をとり除きキャスター式車輪につけかけることにより車輪の接地点が３点となるシャーシは基本的に三角形となる定員は２〜３人とする。
【０００５】
キャスター式車輪についての制動装置は外部入力とした既製のキャスターもブレーキ付である。
【考案の効果】
【０００６】
内輪差がなくなることでより狭小な路地でも曲折運転操作や車庫入れ操作が簡単にしかも安全に可能になる女性層や老人層の需要拡大につながる牽引車は不要
【０００７】
生産コストも従来の軽四輪に比べて低廉になるし燃費も共に２０％位下がる。
【０００８】
パトカーや救急車レジャー等々活用面は一段と多様になる。極狭の駐車場可
【０００９】
斬新なデザインが工夫され商品の需要を広く呼び起して生産拡大による経済効果が期待される。
【考案を実施するための最良の形態】
【００１０】
１元後車輪の中央位置にとりつけるが車体重量バランスを計ること
２キャスター式車輪の形態は色々あるが安全操行を確実にする材質機能であること
３補修整備が容易であること
【実施例】
【００１１】
模型により実施した。以下添付図面図１〜図３について説明する。
図１は、本考案の軽自動車の側面図であり後部トランクルームの中央付近に車体重量のバランスを考慮して図のとおり装備したトランクルームカバーの中にあるので外部からは見えない。
図２は本考案の軽自動車の平面図で上記のキャスターの位置を示している。
図３は本考案の軽自動車の左折走行状況である。Ｐは前車軸の中心でＯＰを半径とする円周上の接線ＰＣ１の軌跡が車体の走行状態である。
後部キャスター車輪の走行軌跡としてＣ１―Ｃ２―Ｃ３―Ｃ４となる。
【図面の簡単な説明】
【００１２】
【図１】本考案軽三輪乗用車の側面図である。
【図２】本考案軽三輪乗用車の平面図である。
【図３】本考案軽三輪乗用車の直角左折状況を示している。
【符号の説明】
【００１３】
Ａ    左前車輪
Ｂ    右前車輪
Ｃ    キャスター
Ｏ    回転の中心
Ｃ１、Ｃ２、Ｃ３，Ｃ４、Ｃ５    キャスターの移動位置
【図１】
0003106877.tif 000003
【図２】
0003106877.tif 000004
【図３】
0003106877.tif 000005
(57)【要約】【課題】  身体に溜まった静電気を逃がす手軽で安価な静電気除去具を提供する。【解決手段】  身体に帯電した静電気を除去する静電気除去具であり、この静電気除去具が、裏面の両側に磁性体に吸着する磁石が貼着された導電ゴムからなる可撓性シートであり、手で表面を押すと可撓性シートの磁石間が変形して磁性体に接触する弾性を有するものであることを特徴とする静電気除去具。【選択図】  図１
0003106847.tif 000002
【実用新案登録請求の範囲】
【請求項１】
身体に帯電した静電気を除去する静電気除去具であり、この静電気除去具が、裏面の両側に磁性体に吸着する磁石が貼着された導電ゴムからなる可撓性シートであり、手で表面を押すと可撓性シートの磁石間が変形して磁性体に接触する弾性を有するものであることを特徴とする静電気除去具。
【請求項２】
磁石に代えて両面接着テープが貼着されている請求項１の静電気除去具。
【考案の詳細な説明】
【技術分野】
【０００１】
本考案は、身体に帯電した静電気を逃がす（除去する）静電気除去具に関するものである。
【０００２】
身体に静電気が溜まると、身体の一部が物に触れたり近づいたりすると、この静電気が放電し、パチパチと不快な音がするとともに、指先等にチクリとする衝撃が走る。これらのことは、我々が衣服を脱ぐとき等によく経験することである。この静電気は非常に高圧であることから、電子部品等の作動を狂わせたり、激しい場合には引火性のものを発火させたりする。
【０００３】
このため、電子部品組立工場等では、静電気対策がとられているが、住宅を始めとする一般的な生活環境設備の下では特別な対策はとられていない。この静電気の放電の実体はよくわかっていないが、静電気の放電は電圧の高さに対応し、一般に、３０００Ｖを超えると放電が起こり、１０００Ｖ以下だと起らないともいわれている。
【考案の開示】
【考案が解決しようとする課題】
【０００４】
本考案が解決しようとする課題は、手軽でどこにでも自由にセットでき、しかも、セットの場所を変えることもできる静電気除去具を具現しようとするものである。
【課題を解決するための手段】
【０００５】
以上の課題の下、本考案は、請求項１に記載した、身体に帯電した静電気を除去する静電気除去具であり、この静電気除去具が、裏面の両側に磁性体に吸着する磁石が貼着された導電ゴムからなる可撓性シートであり、手で表面を押すと可撓性シートの磁石間が変形して磁性体に接触する弾性を有するものであることを特徴とする静電気除去具を提供したものである。
【考案の効果】
【０００６】
以上の手段をとることにより、シートには磁石が貼着されていることから、相手が磁性体であれば、どのような姿勢でも（壁や天井でも）取り付けることができる。また、持ち運びもできるから、取り付ける場所を容易に変更できる。この場合、静電気を帯びている帯電者はこのシートを手で押すことにより、静電気は磁性体を通って逃げて行き、身体から除去される。
【考案を実施するための最良の形態】
【０００７】
以下、本考案の実施の形態を図面を参照して説明する。図１は本考案に係る静電気除去具（以下、除去具という）の表面図、図２は裏面図、図３は断面図であるが、この除去具は、塩ビを素材とする導電ゴムからなる可撓性シート（以下、シートという）１を主体とする。これらのシート１は、種々のものが市販されているが、裏面の導電層１ａと表面の拡散層１ｂの二層構造で、厚さ１〜３ｍｍ程度のものが適する。シート１の大きさは、指先が触れることができる面積が確保されておれば十分であるが、あまり小さいと、目に触れ難いから、横１０〜３００ｍｍ、縦１０〜３００ｍｍ程度のものが適する。
【０００８】
シート１の裏面には磁石２が貼着される。この磁石２は横又は縦方向の両端に設けられ、間に隙間３が確保されるものになっている。これにより、このシート１を磁性体である被吸着体に近づけると、磁石２の磁力によって吸着される。この場合、シート１の吸着の態様は、下向き、上向き、横向きを問わないことになる。
【０００９】
被吸着体に吸着されたシート１の表面の中央を手で押すと、シート１は変形して隙間３の部分が被吸着体に接触する。すると、身体に溜まった静電気はシート１から被吸着体を通って逃げて行き、身体から除去される。したがって、パチパチという不快な放電現象は起らない。この放電は、例えば、指先がチクリと痛む３０００Ｖからまったく感じない１０００Ｖまで０．５秒と瞬時に行なわれるから、押えは瞬間的なタッチでよい。
【００１０】
以上のことを円滑に行なうため、磁石２は、厚みが０．８〜５ｍｍ、幅が２〜５０ｍｍ程度であり、間に形成される隙間３は２〜２００ｍｍ程度が、シート１を被吸着体に確実に接触させる上で望ましい。また、シート１は、隙間３の部分が変形して磁性体に接触した後に手を離せば、元に戻る程度の弾性を有しているのが望ましい。さらに、シート１の表面には、磁石２間を明示する枠４を設けておけば、この枠４内を手で押すことで、シート１を磁性体に確実に接触させることができる。
【００１１】
このようなことから、このシート１は、人がよく通る場所や長く留まって作業をする場所に貼っておけばよい。具体的には、自動車のドア、玄関のドア、ロッカー、室内の壁や家具、作業場の什器、備品等が考えられる（ただし、相手が磁性体であることが条件となる）。そこで、このシート１を貼ってある場所を通るとき、或いは貼ってある場所に居るとき、シート１にタッチするような習慣にしておくと、極力、身体には静電気は溜まらない。もちろん、このシート１は携帯可能であるから、旅行や出張といった他所に行く場合には、これを持って行って適当な場所に貼っておくことも考えられる。この点で、一種の生活グッズということができる。
【００１２】
一方、吸着体を磁石２に代えて両面接着テープとしてもよい。これによると、被吸着体が非磁性体でも貼着が可能になるから、アルミやステンレスのように被磁性体であるが、導電性を有するものに貼り付けておくことで、静電気を除去できる。また、木製家具のように導電性を有しないものとされるものであっても、静電気のような高電圧、極微小電流のような電気は多少なりとも通すこともあるから、この場合も有効である。
【００１３】
さらに、相手が磁性体の場合でも、両面接着テープが用いられることがある。パソコン等を始めとするＯＡ機器や家電製品に貼り付ける場合は、磁石を用いると誤作動を起こすことがある。したがって、このようなおそれのあるものに対しては、たとえ磁性体であっても、両面接着テープによるものが好ましい。
【図面の簡単な説明】
【００１４】
【図１】可撓性シートの表面図である。
【図２】可撓性シートの裏面図である。
【図３】可撓性シートの断面図である。
【符号の説明】
【００１５】
１  可撓性シート
１ａ導電層
１ｂ拡散層
２  磁石
３  隙間
４  枠
【図１】
0003106847.tif 000003
【図２】
0003106847.tif 000004
【図３】
0003106847.tif 000005